(57)【要約】【課題】  大流量でかつ高水圧で給湯されている給湯栓に急激な閉栓操作が加えられたとしても、次回の再出湯時に発生するおそれのある不都合を解消させ得るようにした給湯装置を提供する。【解決手段】  給水路３からの水を熱交換器２１で加熱して出湯路４に出湯させる。出湯路４の高温湯と、バイパス路９の水とを混合部５で混合して、設定給湯温度に温調した湯を給湯路６に給湯する。接続口６０に接続された給湯配管７を通して給湯栓７１に給湯し、給湯栓７１から出湯される。給湯路６に逆止弁６２と、圧力緩衝用のアキュムレータ６３とを設置する。給湯栓の閉栓に伴うウォータハンマーを逆止弁６２で遮断し、圧力上昇をアキュムレータ６３で緩衝させる。【選択図】  図１
2017227344.tif 000002
【特許請求の範囲】
【請求項１】
給水路と、この給水路からの水を加熱するための加熱部と、この加熱部で加熱された湯が出湯されて下流端に向けて給湯するための給湯路と、この給湯路又は前記加熱部に設けられて前記加熱部から出湯される湯の温度を検出するための第１温度センサと、前記加熱部をバイパスするよう前記給水路から分岐して前記第１温度センサよりも下流側位置の前記給湯路に合流するよう接続されるバイパス路と、このバイパス路を通して前記給湯路との合流部に供給される水の供給量を調整するためのバイパス流量調整弁と、このバイパス流量調整弁の開度を前記第１温度センサの検出値を含む情報に基づいて制御するための制御部とを備えた給湯装置において、
前記第１温度センサよりも下流側位置の前記給湯路に設置されて下流側への流通のみを許容するための逆止弁と、この逆止弁よりも下流側位置の前記給湯路に設置されて給湯路内の内圧上昇を緩衝するための圧力緩衝手段とを備えている、
ことを特徴とする給湯装置。
【請求項２】
請求項１に記載の給湯装置であって、
前記給水路への入水の温度を検出するための第２温度センサを備え、
前記制御部は、前記バイパス流量調整弁の開度を制御するための情報として前記第２温度センサの検出値を含む一方、前記逆止弁は、前記合流部よりも下流側位置の給湯路に設置されている、給湯装置。
【請求項３】
請求項１又は請求項２に記載の給湯装置であって、
装置本体を収容するための筐体を備え、前記逆止弁と前記圧力緩衝手段とは前記筐体内に収容されている、給湯装置。
【発明の詳細な説明】
【技術分野】
【０００１】
本発明は、給湯栓の開操作により給水される水を加熱して給湯栓に給湯するように構成された給湯装置に関する。
【背景技術】
【０００２】
湯水を供給するための配管内には、供給先の閉栓操作等に伴いウォータハンマーが生じることがあり、このウォータハンマーを緩和等させるための種々の対策が提案されている。
【０００３】
例えば、下記の特許文献１では、湯水混合栓に設けられる水撃吸収器として、圧力吸収室を備えたものが提案されている。すなわち、小径の基端部から栓側に向けて拡開するテーパ状の径小管部を通水路の途中に介装し、この径小管部の周囲に圧力吸収室を区画形成する。この圧力吸収室と径小管部とを、径小管部の基端部に形成した小径孔を通して互いに連通させる。非流水状態では小径孔を通して流入した水で圧力吸収室は満水状態になり、開栓されて径小管部が流水状態になると負圧により圧力吸収室内の水が小径孔から径小管部に吸い出され、圧力吸収室は給気専用の逆止弁から流入した空気で満たされる。急に閉栓操作されてウォータハンマーが逆流方向に伝播したとしても、そのウォータハンマーは水の流れとなって小径孔を通して圧力吸収室内に流入するため、その勢いが内部の空気により吸収され、これにより、水撃吸収が果たされる、というものである（例えば、同文献１の第２頁第４欄〜第３頁第５欄、及び、図２参照）。
【０００４】
又、特許文献２では、車椅子に乗せた入浴者を箱状の本体内に収容した状態でシャワーによる入浴を実施するシャワー入浴洗浄装置において、ボイラーからの湯と水とを混合した湯水の温度を平均化させるためのアキュムレータ内に、空気蓄圧室を形成したものが提案されている。すなわち、アキュムレータを構成するケースの上部に流入管を接続し、下部から上向きに流出管を突出させ、突出した流出管の上端開口を囲むように上から迂回容器を被せる。迂回容器の天頂と流出管の上端開口との間を十分に離間させる一方、迂回容器の周壁に流出管の上端開口と同レベル位置に連通孔を貫通させることで、迂回容器内の水位を流出管の上端開口と同レベル位置に維持し、これにより、その上部に空気が充満した空気蓄圧室を形成する。これにより、湯水が流れる管内に発生するウォーハンマーを防止し得る、というものである（例えば、同文献２の段落００１０、００１７〜００１９及び第３図、第５図参照）。
【０００５】
さらに、特許文献３には、給湯器から食器洗浄機に延びる給湯配管にウォーターハンマ防止用に圧力吸収装置を設けることが記載され、この圧力吸収装置は給湯配管に介装させる弁が電磁弁であるがゆえに設けること、及び、弁を電動弁に代えれば圧力吸収装置は不要となること、が記載されている（例えば、同文献３の段落００１８及び図２参照）。
【先行技術文献】
【特許文献】
【０００６】
【特許文献１】実公平５−１５６６１号公報
【特許文献２】特許第３５９０３１２号公報
【特許文献２】特開平６−３０８７５号公報
【発明の概要】
【発明が解決しようとする課題】
【０００７】
ところで、給湯装置は、通常は、建物内の所定位置に設置される一方、台所、洗面、浴室等に設置された給湯栓まで給湯配管が配管されることになる。通常の給湯使用の場合には問題とはならないものの、特に給湯量が大流量でかつ高水圧で給湯されているときに給湯栓に急激な閉栓操作が加えられると、この閉栓操作に伴い発生するウォータハンマーの影響を受けて、次回の再出湯時に不都合が発生するおそれがある。
【０００８】
例えば、図３に給湯装置１００の例を示すように、熱交換器２１０からの高温の湯に対しバイパス路９００からの水を混水することで設定給湯温度に温調して給湯するという混水温調制御を実施している場合に、給湯栓７１に対し高水圧でかつ大流量で給湯されて給湯栓７１から出湯されているときに、給湯栓７１に急激な閉栓操作が加えられると、ウォータハンマーの影響により給湯配管７や給湯路６００内を湯が逆流する結果、缶体温度センサ４１０や入水温度センサ３３０による各温度検出に誤検知が発生し、再出湯時の不都合発生を招くおそれがある。ここで、混水温調制御について説明すると、熱交換器２１０に入水される水を燃焼バーナ２２０の燃焼熱により熱交換加熱することで設定給湯温度（例えば４０℃）よりも高い温度（例えば６５℃）まで昇温させて給湯路６００に出湯させ、この熱交換器２１０で加熱された湯の温度（缶体温度）を缶体温度センサ４１０により検出する。この高温の湯に対し、バイパス流量調整弁９２０の制御によりバイパス路９００からの水を所定量混水することで設定給湯温度に温調した上で給湯栓７１まで給湯し、給湯栓７１から出湯させる。この際、前記の缶体温度センサ４１０、水の温度（入水温度）を検出するための入水温度センサ３３０、及び、混水後の温度を検出するための給湯温度センサ６１０からの検出温度に基づいて、バイパス流量制御弁９２０の開度を制御することにより設定給湯温度に温調するようになっている。
【０００９】
例えば、急激な閉栓操作に伴う逆流が缶体温度センサ４１０の設置位置まで到達してしまうと、缶体温度が本来の高温のものから低下して混水不要と誤検知してしまい、混水温調制御によりバイパス流量調整弁９２０が閉制御されてしまうことになる。このままであると、次回の再出湯時には、混水開始に遅れが生じてしまい、給湯栓７１からの高温出湯が一時的に生じてしまうおそれがある。
【００１０】
さらに、例えば、前記の逆流が入水温度センサ３３０の設置位置まで到達してしまうと、入水温度が本来の水温から異様に上昇したものと誤検知してしまい、混水温調制御によりバイパス流量調整弁９２０が全開制御されてしまうことになる。この結果、次回の再出湯時には、バイパス路９００からの水が過剰に混水されてしまい、給湯栓７１からの出湯温度が設定給湯温度よりもかなり低くなってしまうおそれがある。
【００１１】
本発明は、このような事情に鑑みてなされたものであり、その目的とするところは、大流量でかつ高水圧で給湯されている給湯栓に急激な閉栓操作が加えられたとしても、次回の再出湯時に発生するおそれのある不都合を解消させ得るようにした給湯装置を提供することにある。
【課題を解決するための手段】
【００１２】
本発明では、給水路と、この給水路からの水を加熱するための加熱部と、この加熱部で加熱された湯が出湯されて下流端に向けて給湯するための給湯路と、この給湯路又は前記加熱部に設けられて前記加熱部から出湯される湯の温度を検出するための第１温度センサと、前記加熱部をバイパスするよう前記給水路から分岐して前記第１温度センサよりも下流側位置の前記給湯路に合流するよう接続されるバイパス路と、このバイパス路を通して前記給湯路との合流部に供給される水の供給量を調整するためのバイパス流量調整弁と、このバイパス流量調整弁の開度を前記第１温度センサの検出値を含む情報に基づいて制御するための制御部とを備えた給湯装置を対象にして、次の技術的手段を講じた。すなわち、前記第１温度センサよりも下流側位置の前記給湯路に設置されて下流側への流通のみを許容するための逆止弁と、この逆止弁よりも下流側位置の前記給湯路に設置されて給湯路内の内圧上昇を緩衝するための圧力緩衝手段とを備えることとした（請求項１）。
【００１３】
本発明の場合、給湯路から給湯される湯が下流端に接続された給湯栓から出湯されて、湯の使用が可能となる一方、給湯栓が閉栓されて湯の使用が停止された際に生じるおそれのある不都合の発生を回避し得ることになる。すなわち、給湯栓の閉栓に伴いウォータハンマーが発生し、ウォータハンマーによる逆流が給湯路を上流側に遡るおそれが生じたとしても、逆止弁が作動して給湯路が閉止されるため、それ以上の上流側への逆流を確実に遮断させることが可能となる。加えて、逆止弁の閉作動により逆止弁と給湯栓との間の流路内の圧力が急上昇したとしても、その高圧力が圧力緩衝手段により緩衝されることになる。このため、圧力緩衝手段を設けない場合には、前記流路内に残留する高圧により次に給湯栓を開栓したときに、栓自体の作動が重くなって操作し難くなったり、あるいは、開栓すると湯水が勢いよく飛び出したりするような事態になるおそれがあるのに対し、これらを回避することが可能となる。これにより、ユーザーに対し快適な給湯使用を確保することが可能となる。
【００１４】
その上、逆止弁を第１温度センサよりも下流側位置に設置しているため、ウォータハンマーによる逆流が第１温度センサまで到達することを確実に阻止することが可能となり、逆流が第１温度センサまで到達することによる誤検知が回避される。これにより、誤検知に係る温度情報に基づくバイパス流量調整弁の誤制御に起因する不都合発生、例えば再出湯時の高温出湯の発生を確実に回避し得ることになる。
【００１５】
又、本発明の給湯装置において、給水路への入水の温度を検出するための第２温度センサを備えることとし、制御部として、バイパス流量調整弁の開度を制御するための情報として第２温度センサの検出値を含む一方、逆止弁を、合流部よりも下流側位置の給湯路に設置することができる（請求項２）。このようにすることにより、ウォータハンマーによる逆流が逆止弁に至ると、逆止弁が閉作動して給湯路が遮断される。このため、合流部よりも上流側への逆流が確実に遮断され、第１温度センサのみならず第２温度センサまでの逆流到達が確実に回避される。これにより、第２温度センサまで逆流が到達することに伴い入水温度の誤検知を生じて再出湯時の出湯が低温化する、というような不都合発生を、確実に回避することが可能となる。
【００１６】
さらに、本発明の給湯装置において、装置本体を収容するための筐体を備え、逆止弁と圧力緩衝手段とを筐体内に収容させるようにすることができる（請求項３）。このようにすることにより、例えば、給湯路の下流端に給湯配管を現場施工により接続する際に、その給湯配管に対し逆止弁等を設置する場合と比べ、給湯装置として筐体内に予め一体に組み込まれているため省スペースを実現し得る上に、現場施工が不要であるため省施工性も得られることになる。
【発明の効果】
【００１７】
以上、説明したように、本発明の給湯装置によれば、給湯路から給湯される湯が下流端に接続された給湯栓から出湯されて、湯の使用が可能となる一方、給湯栓が閉栓されて湯の使用が停止された際に生じるおそれのある不都合の発生を回避することができるようになる。すなわち、給湯栓の閉栓に伴いウォータハンマーが発生し、ウォータハンマーによる逆流が給湯路を上流側に遡るおそれが生じたとしても、逆止弁が作動して給湯路を閉止することができ、それ以上の上流側への逆流を確実に遮断させることができる。加えて、逆止弁の閉作動により逆止弁と給湯栓との間の流路内の圧力が急上昇したとしても、その圧力上昇を圧力緩衝手段により緩衝させて吸収することができる。このため、圧力緩衝手段を設けない場合には、前記流路内に残留する高圧により次に給湯栓を開栓したときに、栓自体の作動が重くなって操作し難くなったり、あるいは、開栓すると湯水が勢いよく飛び出したりするような事態になるおそれがあるのに対し、これらを回避することができるようになる。これにより、ユーザーに対し快適な給湯使用を確保することができるようになる。その上、逆止弁を第１温度センサよりも下流側位置に設置しているため、ウォータハンマーによる逆流が第１温度センサまで到達することを確実に阻止することができ、逆流が第１温度センサまで到達することによる誤検知を回避することができる。これにより、誤検知に係る温度情報に基づくバイパス流量調整弁の誤制御に起因する不都合発生、例えば再出湯時の高温出湯の発生を確実に回避することができるようになる。
【図面の簡単な説明】
【００１８】
【図１】本発明の実施形態に係る給湯装置の例を示す模式図である。
【図２】他の実施形態に係る給湯装置の例を示す図１対応図である。
【図３】問題点を説明するための給湯装置の例を示す模式図である。
【発明を実施するための形態】
【００１９】
以下、本発明の実施形態を図面に基づいて説明する。
【００２０】
図１は、本発明に係る給湯装置１の例を示したものである。なお、図１では、給湯機能のみの単機能タイプの給湯装置を示すが、これに限らず、給湯機能に加えて、温水循環式暖房機能、風呂追い焚き機能、風呂湯張り機能のいずれか１以上の機能を併有する複合熱源機型に構成された給湯装置にも本発明を適用することができる。
【００２１】
まず、給湯装置１の全体構成について、簡単に説明する。加熱対象である水は、缶体２内の熱交換器２１に対し給水路３を通して入水され、熱交換器２１において燃焼バーナ２２の燃焼熱により所定の高温（例えば最高７５℃）まで熱交換加熱された後に出湯路４に出湯される。次いで、出湯された湯に対し途中の混合部５において混水することで設定給湯温度に温調し、温調後の湯が給湯路６及び給湯配管７を通して給湯栓７１まで給湯されるようになっている。これらの入水、出湯及び給湯は、給水路３の上流端に接続された、例えば水道管からの供給圧や、他の供給系からのポンプ給水圧等に基づいて行われる。なお、図１では、給湯栓７１として１つのみを図示しているが、台所や洗面所に加えシャワーカラン等の複数個所に設置することができる。以下、各構成要素について、詳細に説明する。
【００２２】
給湯装置１は筐体１ａを備えており、給湯装置１の装置本体を構成する以下の構成要素の略全体が筐体１ａ内に収容されている。
【００２３】
缶体２は、送風ファン８からの燃焼用空気及び燃料供給系２３からの燃料ガスの供給を受けて燃焼する燃焼バーナ２２と、この燃焼バーナ２２の燃焼熱により熱交換加熱される熱交換器２１とが内蔵されている。これら燃焼バーナ２２と熱交換器２１とにより、加熱部が構成されている。熱交換器２１としては、図例では、燃焼ガスの顕熱により熱交換加熱するための主熱交換器２４と、主熱交換器２４通過後の燃焼排ガスの潜熱回収により予熱するための副熱交換器２５とで構成されている。そして、前記副熱交換器２５の入口には給水路３の下流端が接続され、副熱交換器２５を通過する間に予熱された後に主熱交換器２４を通過する間に熱交換加熱され、加熱後の湯が、主熱交換器２４の出口に接続された出湯路４の上流端に出湯されるようになっている。
【００２４】
一方、副熱交換器２５での潜熱回収の際に、燃焼排ガス中の水蒸気が凝縮することにより強酸性のドレンが発生するため、このドレンをドレンパン２６により集水し、例えば中和処理槽２７での中和処理等を施した上で排水するようになっている。なお、熱交換器２１として２種類のもの２４，２５を備えている点や、ドレン処理用の構成要素２６，２７を備えている点などは、本発明において必須のものではなく、給水を受けて加熱し得るものであれば本発明を適用することができる。従って、熱交換器２１は、前記の主熱交換器２４のみによって構成される場合を含む。
【００２５】
給水路３は、筐体１ａの外面に設けられた接続口３０を上流端とし、この接続口３０から熱交換器２４，２５まで延びている。給水路３の途中位置からバイパス路９の上流端が分岐されている。このバイパス路９の分岐位置３１よりも下流側（缶体２側）の給水路３には、缶体２に入水される水の入水流量を検出する入水流量センサ３２と、その入水温度を検出する入水温度センサ３３とがそれぞれ介装されている。この入水温度センサ３３が第２温度センサを構成する。
【００２６】
出湯路４は、熱交換器２１の出口から混合部５まで延ばされ、この出湯路４には、缶体２で熱交換加熱されて昇温した高温湯の出湯温度（缶体温度）を検出するための缶体温度センサ４１と、出湯流量調整弁４２とが介装されている。なお、この出湯路４及び給湯路６を含めて、熱交換器２１から出湯されて混合部５を介して下流端に向けて給湯するための「給湯路」が構成され、本実施形態では混合部５を境にして上流側を出湯路４と呼び、下流側であって下流端である接続口６０までの間を給湯路６と呼んでいる。従って、接続口６０が「給湯路」の下流端を構成する。この接続口６０には、給湯栓７１を直接的に接続することができるし、あるいは、後述の如く、給湯配管７を介して給湯栓７１を間接的に接続することができる。又、缶体温度センサ４１が第１温度センサを構成する。
【００２７】
混合部５には、出湯路４の下流端に加えて、バイパス路９の下流端が合流するように接続されている。このバイパス路９を通して、給水路３から分流させた水が混合部５に対し導入可能となっている。この混合部５が、出湯路４とバイパス路９との合流部を構成する。バイパス路９には、給水路３から分流するバイパス流量を検出するバイパス流量センサ９１と、バイパス流量調整弁９２とが介装されている。そして、後述のコントローラ１０によるバイパス流量調整弁９２に対する開度制御により、混合部５において、出湯路４からの高温の湯に対しバイパス路９からの所定量の水が混合（混水）されて、給湯路６に対し所定の設定給湯温度（例えば４０℃）に温調した湯を給湯し得るようになっている。
【００２８】
給湯路６は、上流端が混合部５に接続され、下流端が筐体１ａの外面に設けられた接続口６０を形成し、上流端に対し混合部５で混合された後の湯が導入されるようになっている。この給湯路６には、混合部５での混水により温調された後の給湯温度を検出する給湯温度センサ６１と、下流側への流通のみを許容する逆止弁６２とが介装されている。つまり、この逆止弁６２によって、混合部５から下流端である接続口６０の側への流通のみが許容される一方、逆側の上流側への流れが生じれば閉作動して上流側への流通が遮断されることになる。加えて、圧力緩衝手段として衝撃吸収用のアキュムレータ６３が、逆止弁６２よりも下流側位置の給湯路６に連通するように設置されている。なお、接続口６０には、過圧防止用の安全弁６０１が設けられている。この安全弁６０１は、流路内に異常水圧が作用して所定の上限内圧（例えば２ｋＰａ）を超えると、流路の構成部材、例えば継ぎ手やサーボモータ等に用いられる樹脂部品や熱交換器等の破損を回避したり、シール部からの水漏れを抑制したりするために、開弁して過剰圧を外部に逃がすものである。
【００２９】
アキュムレータ６３は、例えば、一側が給湯路６と連通する一方、他側が弾性隔膜（例えばゴム製隔膜）により仕切られてその内部にガス（例えば窒素ガス）が封入されてなるものである。そして、給湯路６の側からウォータハンマー等に伴う衝撃が弾性隔膜を介して封入ガスに作用すると、その衝撃が封入ガスの圧縮により緩衝されて吸収されることになる。かかる構成のアキュムレータとして、例えばブラダ形アキュムレータを用いることができる。かかるアキュムレータ６３は、前記の安全弁６０１が作動する内圧よりも低い範囲の圧力であって、ウォータハンマーに起因して生じる衝撃圧を緩衝して吸収するために設置される。
【００３０】
そして、給湯路６は、その接続口６０に給湯配管７の上流端が接続され、給湯配管７の下流端に給湯栓７１が接続されて、混合部５で温調された湯が給湯栓７１まで給湯可能となっている。
【００３１】
以上の給湯装置において、給湯栓７１へ所定の設定給湯温度の湯を給湯する給湯運転等のための種々の作動制御が、例えば台所に設置されたリモコン１０１からの設定給湯温度等の設定信号や操作信号等の出力や、種々の温度センサ等からの検出信号の出力を受けて、コントローラ１０により実行されるようになっている。コントローラ１０は、制御部を構成するものであり、ＣＰＵや書き換え可能メモリを備えるマイコン等を備え、メモリに記憶されたプログラム及び各種データに基づいて前記の給湯運転等に係る制御を行うようになっている。
【００３２】
そして、給湯栓７１がユーザーにより開栓操作されると、それに伴い給水路３に入水し、その水の流量が所定の最低作動流量以上になったことを入水流量センサ３２が検出することにより、燃焼バーナ２２の燃焼が開始される。送風ファン８による燃焼用空気の供給量や、燃焼バーナ２２の燃焼量、及び、出湯流量調整弁４２の開度制御等に係る燃焼作動制御が、熱交換器２１において水を設定給湯温度よりも高温の所定の設定温度（例えば６５℃）まで熱交換加熱し得るように行われ、所定の高温の湯が出湯路４を通して混合部５に供給される。混合部５での混水による温調制御として、入水温度センサ３３により検出された入水温度と、缶体温度センサ４１により検出された缶体温度と、入水流量センサ３２及びバイパス流量センサ９１により検出された流量とに基づいて、混水後の湯が設定給湯温度になるようにバイパス路９による混水流量が演算され、演算結果に基づいてバイパス流量調整弁９２の開度制御が行われる。以上により給湯栓７１まで設定給湯温度の湯が給湯され、給湯栓７１からその湯が出湯される。
【００３３】
一方、給湯栓７１がユーザーにより閉栓操作されると、給水路３内の水の流れも止まり、入水流量センサ３２の検出値も最低作動流量よりも小さくなるため、燃焼作動が停止されて、給湯運転が終了する。そして、給湯栓７１がユーザーにより再度開栓操作される再出湯時まで待機状態になる。
【００３４】
この閉栓操作の際、それまで全開状態での出湯から急激な閉栓操作が行なわれると、その閉栓操作に伴いウォータハンマーが発生し、ウォータハンマーによる逆流が給湯配管７を上流側に遡るおそれがある。しかしながら、その逆流が給湯路６に至ると逆止弁６２が作動して給湯路６が閉止され、それ以上の上流側への逆流が遮断されることになる。これにより、逆流が缶体温度センサ４１まで到達することに伴い缶体温度の誤検知を生じて再出湯時の高温出湯を招いたり、あるいは、さらに入水温度センサ３３まで逆流が到達することに伴い入水温度の誤検知を生じて再出湯時の出湯が低温化したりするような不都合の発生を、確実に回避することができる。このため、ユーザーに対し快適な給湯使用を確保することができる。
【００３５】
加えて、逆止弁６２の閉作動に伴い逆止弁６２と給湯栓７１との間の流路（給湯路６及び給湯配管７）内に衝撃的な圧力上昇が生じたとしても、その衝撃圧がアキュムレータ６３に作用しこのアキュムレータ６３により緩衝されて吸収されることになる。これにより、アキュムレータ６３を設けない場合には前記流路内に残留する高圧により次に給湯栓７１を開栓操作したときに、栓自体の作動が重くなって操作し難くなったり、あるいは、開栓操作すると湯水が勢いよく飛び出したりするような事態になるおそれがあるところ、これらの不都合発生を回避することができる。
【００３６】
さらに、このような作用効果を奏する逆止弁６２及びアキュムレータ６３を、例えば給湯配管７の配管作業の際にその給湯配管７のいずれかの個所に設置する場合に比べ、省施工性かつ省スペース性を得ることができる。すなわち、本実施形態では、逆止弁６２及びアキュムレータ６３が筐体１ａ内の給湯路６に設置されて給湯装置１として予め一体のものに構成されているため、設置現場では給湯装置１を設置するだけで済み、給湯配管７の現場設置の際に逆止弁やアキュムレータを現場にて別途設置する必要がない。これにより、省施工性に優れ、別途設置するスペースも不要であるため省スペース性も得ることができる。
【００３７】
＜他の実施形態＞
本発明は前記実施形態に限らず、種々の形態を含むものである。すなわち、前記実施形態では逆止弁６２及びアキュムレータ６３を接続口６０よりも上流側の給湯路６であって、筐体１ａ内に設けられた給湯路６に設置した場合を例示しているが、これに限らず、「給湯路」の下流端を構成する接続口よりも上流側であって、給湯装置１として予め一体に製造されて市場に供給される給湯路に設置されていればよい。例えば、図２に示すように、給湯路６ａとして、その下流端が筐体１ａの外面から若干量突出したものにより構成し、その突出端に接続口６０ａを設けるとともに、筐体１ａ外面から接続口６０ａまでの間の部位に、逆止弁６２及びアキュムレータ６３と同様構成の逆止弁６２ａ及びアキュムレータ６３ａを設置することができる。この場合であっても、前記実施形態と同様の作用効果を得ることができる。この場合に、組立作業の便宜上、給湯路６ａを分割製造し、組立により一体化することができる。すなわち、筐体１ａの外面に中間接続口６０ｂを予め形成する一方、先端部に接続口６０ａを接続した給湯路部分に対し逆止弁６２ａ及びアキュムレータ６３ａを設け、この給湯路部分の基端部を筐体１ａ外部において前記中間接続口に接続して一体の給湯路６ａを組み立てることができる。
【００３８】
前記実施形態では、逆止弁６２及びアキュムレータ６３の組み合わせを混合部５よりも下流の給湯路６に設置した例を説明したが、これに限らず、逆止弁６２及びアキュムレータ６３の組み合わせを混合部５よりも上流側の出湯路４であって缶体温度センサ４１よりも下流側の出湯路４、つまり、缶体温度センサ４１と混合部５との間の出湯路４に設置することができる。この場合でも、給湯栓７１の閉栓操作に伴う逆流が缶体温度センサ４１まで到達することを回避することができ、缶体温度の誤検知に伴う再出湯時の高温出湯を確実に回避することができる。
【００３９】
又、以上の実施形態では、圧力緩衝手段として衝撃緩衝用のアキュムレータ６３を用いた例を示しているが、これに限らず、所定値範囲の圧力上昇が作用したときにその圧をリリーフするための弁機構、例えば圧力リリーフ弁を圧力緩和手段として用いることができる。この場合には、圧力リリーフ弁からリリーフされた湯水を外部に排水するための排水路を併せて付設することができる。
【００４０】
さらに、以上の実施形態では、第１温度センサである缶体温度センサ４１を熱交換器２４の出口近傍の出湯路４に設置しているが、出湯路４ではなくて、熱交換器２４内の出口近傍に設置するようにしてもよい。
【符号の説明】
【００４１】
４          出湯路（給湯路）
５          混合部（合流部）
６，６ａ    給湯路（給湯路）
１０        コントローラ（制御部）
２１        熱交換器（加熱部）
２２        燃焼バーナ（加熱部）
３３        給水温度センサ（第２温度センサ）
４１        缶体温度センサ（第１温度センサ）
６０，６０ａ    接続口（給湯路の下流端）
６２，６２ａ    逆止弁
６３，６３ａ    アキュムレータ（圧力緩衝手段）
９２        バイパス流量調整弁
【図１】
2017227344.tif 000003
【図２】
2017227344.tif 000004
【図３】
2017227344.tif 000005